【事件の表示】
　特願２０１５−５１３２６９「電子表示装置及びその駆動方法」拒絶査定不服審判事件〔平成２５年１１月２８日国際公開、ＷＯ２０１３／１７５２１４、平成２７年　８月１３日国内公表、特表２０１５−５２３５９３、請求項の数（１２）〕について、次のとおり審決する。
【結　論】
　原査定を取り消す。
　本願の発明は、特許すべきものとする。
【理　由】
第１　手続の経緯　
　本願は、平成２５年５月２２日（パリ条約による優先権主張　２０１２年５月２３日　英国、２０１２年５月２３日　英国）を国際出願日とする出願であって、平成２９年２月２４日付けで拒絶理由が通知され、平成２９年５月２９日付けで誤訳訂正がなされたが、平成２９年９月１５日付けで拒絶査定（以下、「原査定」という。）がなされ（謄本送達日　平成２９年９月２６日）、これに対し、平成３０年１月２３日に拒絶査定不服審判が請求され、同時に手続補正がなされたものである。
第２　原査定の概要
　原査定の概要は次の通りである。
２．（進歩性）この出願の下記の請求項に係る発明は、その優先日前に日本国内又は外国において、頒布された下記の刊行物に記載された発明又は電気通信回線を通じて公衆に利用可能となった発明に基いて、その優先日前にその発明の属する技術の分野における通常の知識を有する者が容易に発明をすることができたものであるから、特許法第２９条第２項の規定により特許を受けることができない。
●理由２（特許法第２９条第２項）について
・請求項１−１１
・引用文献１
・請求項１２，１３−２７
・引用文献１，３−４
・請求項２８−３０
・引用文献１，３−４
・請求項３１−３４
・引用文献１
　　　　　　　　　　　　　　＜引用文献等一覧＞
１．国際公開第２０１１／０７８０８８号
３．特開２００８−００９５０８号公報
４．特開２００８−０９０４４９号公報
第３　本願発明
　本願の請求項１−１２に係る発明（以下、「本願発明１」−「本願発明１２」という。）は、平成３０年１月２３日付けの手続補正で補正された特許請求の範囲の請求項１−１２に記載された事項により特定される発明であり、本願発明１、１１は以下のとおりのものである。
「【請求項１】
限られた色彩の表示装置を駆動するための方法であって、
前記表示装置は、ピクセルのアレイと、前記アレイにおける前記ピクセルのそれぞれを駆動するためのドライバと、前記表示装置に整列され、それによって前記ピクセルのそれぞれが異なる色彩の複数のサブピクセルに細分割されるカラーフィルタとを備え、
前記方法は、
ターゲット画像を受信することと、
前記表示装置内の各サブピクセルのための輝度値を決定することによって前記ターゲット画像用の輝度画像を生成することと、
前記輝度画像内の異なる色彩の前記複数のサブピクセルのそれぞれのために出力値を決定することによって前記輝度画像から出力信号を生成することと、
前記表示装置を駆動するために前記ドライバに前記出力信号を出力することとを含み、
前記輝度値は、前記サブピクセルが前記ターゲット画像の閾量よりも少なくカバーする場合には黒を示す値に設定され、前記輝度値は、前記サブピクセルが前記ターゲット画像の閾量よりも多くカバーする場合には白又はグレーを示す値に設定され、グレーはより淡い色合いを生成するために使用され、
前記出力値を決定することは、白又はグレーを示す輝度値を有する各サブピクセルについて、各サブピクセルのための輝度値を決定することと、前記ターゲット画像内の色彩を再現するために必要とされる各ピクセルに必要な全体の色彩を決定することとを含み、
前記輝度画像は、前記ターゲット画像を表すべく必要な色彩を考慮することなく生成され、
いったん前記輝度画像が生成されると、前記出力信号を生成することは、前記必要な色彩を生成するべく特定のサブピクセルが必要とされるか否かを決定することを含む、方法。」
「【請求項１１】
電子装置であって、
ピクセルのアレイを有する限られた色彩の表示装置と、
前記アレイにおける前記ピクセルのそれぞれを駆動するためのドライバと、
前記表示装置に整列され、それによって前記ピクセルのそれぞれが異なる色彩の複数のサブピクセルに細分割されるカラーフィルタと、
ターゲット画像を受信し、
前記表示装置内の各サブピクセルのための輝度値を決定することによって前記ターゲット画像のための輝度画像を生成し、
前記輝度画像内の異なる色彩の前記複数のサブピクセルのそれぞれのための出力値を決定することによって前記輝度画像から出力信号を生成し、
前記表示装置を駆動するために前記ドライバに前記出力信号を出力するように構成されたコントローラと
を備え、
前記輝度値は、前記サブピクセル又は対応するセルが前記ターゲット画像の閾量よりも少なくカバーする場合には黒を示す値に設定され、前記輝度値は、前記サブピクセル又は対応するセルが前記ターゲット画像の閾量よりも多くカバーする場合には白又はグレーを示す値に設定され、グレーはより淡い色合いを生成するために使用され、
前記出力値を決定することは、白又はグレーを示す輝度値を有する各サブピクセルについて、各サブピクセルのための輝度値を決定することと、前記ターゲット画像内の色彩を再現するために必要とされる各ピクセルに必要な全体の色彩を決定することとを含み、
前記輝度画像は、前記ターゲット画像を表すべく必要な色彩を考慮することなく生成され、
いったん前記輝度画像が生成されると、前記出力信号を生成することは、前記必要な色彩を生成するべく特定のサブピクセルが必要とされるか否かを決定することを含む、電子装置。」
　本願発明２−８、１２は、本願発明１を減縮した発明である。
　本願発明９、１０は、本願発明１−８に対応する構成を含む装置の発明である。
第４　引用文献、引用発明等
１　引用文献１について
　原査定の拒絶の理由で引用された引用文献１（国際公開第２０１１／０７８０８８号）には、図面とともに、次の事項が記載されている（下線は、当審で付与したものである。以下同様。）。
「［０００１］
  本発明は、電気的に駆動可能な粒子などを表示媒体として用いた表示媒体移動型の情報ディスプレイなど、所定カラーと対応付けられた複数のサブピクセルを一つのピクセルを用いて
情報ディスプレイにカラー画像を表示させる
表示制御方法
「［００２６］
  （１．１）ピクセルとサブピクセルの関係
  図１は、情報ディスプレイ２００の概略正面図である。情報ディスプレイ２００は、電子粉流体（登録商標、登録第４６３６９３１号）など、電気的に駆動可能な粒子を表示媒体として用いた表示媒体移動型の情報ディスプレイ、具体的には、Quick Response-Liquid Powder Display（QR-LPD、登録商標、登録第４６４１９１７号）である。図１に示すように、
情報ディスプレイ２００は、複数のピクセル１０
によって構成される。ピクセル１０は、
縦方向及び横方向に複数並んで設けられる。
［００２７］
  本実施形態では、情報ディスプレイ２００は、光の三原色を構成する赤、緑及び青（R・G・B）、或いは光の三原色と無色透明（R・G・B・W）、または光の四原色を構成する赤、緑、青及び黄（R・G・B・Y）によってカラー画像（例えば、
４，０９６色
を表示する
「［００３３］
  （１．２）情報ディスプレイの内部構成
  図３は、情報ディスプレイ２００の内部構成を示す。具体的には、図３は、ピクセル１０の内部構成を示す。上述したように、
ピクセル１０は、サブピクセルＲ１、サブピクセルＧ１及びサブピクセルＢ１によって構成される。
［００３４］
  ピクセル１０は、
R・G・B（所定カラー）に対応するカラーフィルタを備える。
サブピクセルＲ１には
赤フィルタ１８Ｒ
サブピクセルＧ１には
緑フィルタ１８Ｇ
サブピクセルＢ１には
青フィルタ１８Ｂ
「［００４２］
  （２．１）全体機能ブロック構成
  図５は、情報ディスプレイシステム５０の全体機能ブロック構成図である。図５に示すように、
情報ディスプレイシステム５０は、表示制御装置１００と情報ディスプレイ２００とによって構成される。
［００４３］
  表示制御装置１００は、情報ディスプレイ２００を制御し、情報ディスプレイ２００にカラー画像を表示させる。
表示制御装置１００は、画像データ入力部１１０、コントローラ１２０及びドライバ１３０を備える。
［００４４］
  
画像データ入力部１１０には、
画像データが入力される。
［００４５］
  コントローラ１２０は、画像データ入力部１１０に入力された画像データに基づいて、情報ディスプレイ２００のピクセル及びサブピクセルを制御する制御情報を生成する。なお、コントローラ１２０の詳細については、後述する。
［００４６］
  
ドライバ１３０は、
制御情報を情報ディスプレイ２００に出力し、該当するサブピクセルを駆動する。
「［００５２］
  （３．１）表示制御フロー
  
表示制御装置１００は、
各サブピクセルを一つの画像表示単位として扱う。
「［００５７］
  図８は、特定ピクセルのカラーデータ及び明度の取得フローを示す。図８に示すように、ステップＳ１１０において、
表示制御装置１００は、特定ピクセルの画像データPicturePix(X, Y)に基づいて、赤のカラーデータRed(C)、緑のカラーデータGreen(C)、及び青のカラーデータBlue(C)を取得する。
取得したカラーデータと（式１）とを用いて、各カラー（R・G・B）の明度（LV）を演算する。
［００５８］
    
W = (R*MR + G*MG + B*MB)/MW
    
R = R*2 − W
    
G = G*2 − W
    
B = B*2 − W      …（式１）
  
また、
（式２）によってNの値を演算する。
［００５９］
    
N = (Y and 1) + (X and 1)*2      …（式２）
  Nの値は、特定ピクセルそれぞれのカラーデータ及びその明度を取得するための条件分岐に用いられる。なお、この例は、図２（ｂ）に示したピクセル構成の場合を示しており、（式２）は、図２（ｂ）のピクセル構成の場合に用いられる。他のピクセル構成の場合、その構成に従った式が用いられる。
［００６０］
  ステップＳ１２０において、表示制御装置１００は、演算したNの値が0か否かを判定する。
N=0の場合
取得した白色の明度（LV）を出力する。
［００６１］
  以下、ステップＳ１４０〜ステップＳ１８０において、表示制御装置１００は、取得した他の色の明度（LV）を出力する。
［００６２］
  この結果、図７のステップＳ３０に示すように、
表示制御装置１００は、特定ピクセル位置(X, Y)における各色の明度（LV）を取得し、取得した色の明度（LV）に基づいて、情報ディスプレイ２００上の対応するピクセル(X, Y)に含まれる対応色のサブピクセルを駆動する
。
図８
図９
　また、上記図８より、N=0の場合、取得した白色の明度（LV）を出力し、N=1の場合、取得した赤色の明度（LV）を出力し、N=2の場合、取得した緑色の明度（LV）を出力し、N=3の場合、取得した青色の明度（LV）を出力することが見て取れる。そうすると、上記記載より、引用文献１には、次の発明（以下、「引用発明」という。）が記載されている（括弧内は、認定に用いた引用文献１の記載箇所を示す。）。
「４，０９６色を表示する情報ディスプレイにカラー画像を表示させる表示制御方法であって（［０００１］、［００２７］）、
　情報ディスプレイシステム５０は、表示制御装置１００と情報ディスプレイ２００とによって構成され（［００４２］）、
　表示制御装置１００は、画像データ入力部１１０、コントローラ１２０及びドライバ１３０を備え（［００４３］）、
　画像データ入力部１１０には、画像データが入力され（［００４４］）、
　ドライバ１３０は、制御情報を情報ディスプレイ２００に出力し、該当するサブピクセルを駆動し（［００４６］）、
　情報ディスプレイ２００は、縦方向及び横方向に複数並んで設けられる、複数のピクセル１０によって構成され（［００２６］）、
　ピクセル１０は、サブピクセルＲ１、サブピクセルＧ１及びサブピクセルＢ１によって構成され、サブピクセルＲ１には赤フィルタ１８Ｒ、サブピクセルＧ１には緑フィルタ１８Ｇ、サブピクセルＢ１には青フィルタ１８ＢのR・G・B（所定カラー）に対応するカラーフィルタを備え（［００３３］、［００３４］）、
　表示制御装置１００は、
　各サブピクセルを一つの画像表示単位として扱い（［００５２］）、
　表示制御装置１００は、特定ピクセルの画像データPicturePix(X,Y)に基づいて、赤のカラーデータRed(C)、緑のカラーデータGreen(C)、及び青のカラーデータBlue(C)を取得し、
　取得したカラーデータと（式１）とを用いて、各カラー（R・G・B）の明度（LV）を演算し（［００５７］）、
　　W=(R*MR+G*MG+B*MB)/MW
　　R=R*2−W
　　G=G*2−W
　　B=B*2−W　　　…（式１）
　また、（式２）によってNの値を演算し（［００５８］）、
　　N=(Yand1)+(Xand1)*2　　　…（式２）（［００５９］）
　（式２）において、(X,Y)の下一桁が、（0,0）でN=0、（1,0）でN=1、（0,1）でN=2、（1,1）でN=3となり、
　N=0の場合、取得した白色の明度（LV）を出力し、
　N=1の場合、取得した赤色の明度（LV）を出力し、
　N=2の場合、取得した緑色の明度（LV）を出力し、
　N=3の場合、取得した青色の明度（LV）を出力し（［００６０］、図８）、
　表示制御装置１００は、特定ピクセル位置(X, Y)における各色の明度（LV）を取得し、取得した色の明度（LV）に基づいて、情報ディスプレイ２００上の対応するピクセル(X,Y)に含まれる対応色のサブピクセルを駆動する（［００６２］）、
　表示制御方法。」
２　引用文献３について
　原査定の拒絶の理由で引用された引用文献３（特開２００８−００９５０８号公報）には、図面とともに、次の事項が記載されている。
「【００２０】
実施の形態１．
  以下、この発明の実施の形態１による擬似階調画像の生成方法及び擬似階調画像生成装置について説明する。図１は実施の形態１に係る擬似階調画像生成装置のブロック図、図２はそのフロー図である。図１及び図２に於いて、画像生成部１は、例えば、現在の気温やニュースの表示等、入力されたデータに基づき逐次、動的に原画像を生成処理するもので、図２に示すように、文字生成部１１、図形生成部１２、及び自然画生成部１３を備える。
【００２１】
  文字生成部１１は、第１の文字情報２１１と第２の文字情報２１２を含む第１の画像構成要素２１を生成する。図形生成部１２は、第１の図形情報２２１と第２の図形情報２２２を含む第２の画像構成要素２２を生成する。自然画生成部１３は、自然画情報２３１からなる第３の画像構成要素２３を生成する。画像生成部１は、生成する第１の画像構成要素２１、第２の画像構成要素２２、第３の画像構成要素２３に対して、減色処理方法、夫々の画素データ、各画素の透過・非透過を表す２値のマスク値、画像構成要素間の重ねあわせ順序等の画像構成に関する情報を記録し、夫々の画像構成要素に適した減色処理方法を設定する。
【００２２】
  減色処理部３は、第１の減色処理部３１と第２の減色処理部３２と第３の減色処理部３３とを備える。第１の減色処理部３１は、第１の文字情報２１１と第２の文字情報２１２を含む第１の画像構成要素２１を、その記録された減色処理方法に関する情報に基づいて、その画像構成要素に最も適する単純近似法により減色処理を行う。文字情報の場合、サイズの小さい文字等は色よりも可読性が大切であり画素単位の表現が重要であるので、文字情報に対する減色処理法としては、画素単位で単純に最も近い色に変更するのみである単純近似法が適している。従って、第１の文字情報２２１と第２の文字情報２２２とを含む第１の画像構成要素２１には、予め、画像生成部１により、減色処理方法に関する情報として単純近似法により減色処理を行うための情報が記録されている。
【００２３】
  第２の減色処理部３２は、第１の図形情報２２１と第２の図形情報２２２を含む第２の画像構成要素２２を、その設定された減色処理方法である周知のディザパターン法により減色処理を行う。図形の場合、あるエリアが均一に塗りつぶされることが多く、ベタ塗りの表現が重要であり、又、描画要素に直線や単純な曲線等、幾何学的な図形が多い図形情報に対する減色処理法としては、ベタ塗りを規則的なパターンで表現するディザパターン法が適している。従って、第１の図形情報２２１と第２の図形情報２２２とを含む第２の画像構成要素２２には、予め、画像生成部１により、減色処理方法に関する情報としてディザパターン法により減色処理を行うための情報が記録されている。
【００２４】
  第３の減色処理部３３は、自然画情報２３１を含む第３の画像構成要素２３を、その設定された減色処理方法である周知の誤差拡散法により減色処理を行う。自然画情報の場合、ベタ塗りが非常に少なく、表現色が多く且つ色が滑らかに変化し、描画要素に直線や単純な曲線が殆どない。従って、写真等の自然画情報に対する減色処理法としては、ある程度の面積を用いて色の再現誤差を少なくし、色階調再現性の高い周知の誤差拡散法が適している。そのため、自然画情報２３１を含む第３の画像構成要素２３には、予め、画像生成部１により、減色処理方法に関する情報として誤差拡散法により減色処理を行うための情報が記録されている。
【００２５】
  第１の画像構成要素２１の第１の文字情報２１１と第２の文字情報２１２は、第１の減色処理部３１により単純近似法により減色処理されて、夫々、第１の減色済文字情報６１１、第２の減色済文字情報６１２となる。第２の画像構成要素２２の第１の図形情報２２１と第２の図形情報２２２は、第２の減色処理部３２によりディザパターン法により減色処理されて、夫々、第１の減色済図形情報６２１と第２の減色済図形情報６２２となる。第３の画像構成要素３３の自然画情報２３１は、第３の減色処理部３３により誤差拡散法により減色処理されて、減色済自然画情報６３１となる。
第１の減色済文字情報６１１、第２の減色済文字情報６１２、第１の減色済図形情報６２１、第２の減色済図形情報６２２、及び減色済自然画情報６３１を総称して、減色済画像構成要素６と称する。
【００２６】
  画像合成部４は、減色処理部３から、第１の減色済文字情報６１１、第２の減色済文字情報６１２、第１の減色済図形情報６２１、第２の減色済図形情報６２２、及び減色済自然画情報６３１が入力される。前記したように、夫々の画像構成要素には、予め画像生成部１により、各画素の透過・非透過を表すマスク値、画像構成要素間の重ねあわせ順序等の情報が記録されており、画像合成部４は、その記録により設定された重ね合わせ順序及び各画素のマスク値に応じて、第１の減色済文字情報６１１、第２の減色済文字情報６１２、第１の減色済図形情報６２１、第２の減色済図形情報６２２、及び減色済自然画情報６３１の重ね合せ処理を行い、１枚の擬似階調画像５を出力する。」
３　引用文献４について
　原査定の拒絶の理由で引用された引用文献４（特開２００８−０９０４４９号公報）には、図面とともに、次の事項が記載されている。
「【００１９】
  本実施の形態は、図１に示すように、画像入力モジュール１１０、領域分離モジュール１２０、文字認識モジュール１３０、文字整形モジュール１４０、表示モジュール１５０、キーワードＤＢ１６０を有している。さらに、表示モジュール１５０内には、絵柄領域選択モジュール１５１、文字変形モジュール１５２、スクロール表示モジュール１５３を有している。
  画像入力モジュール１１０は、図１に示すように、領域分離モジュール１２０と接続されており、対象とする画像を入力する。そして、入力した画像を領域分離モジュール１２０へ渡す。より具体的には、画像を電子的イメージとして入力するものにスキャナ、ファックス等が該当する。また、アプリケーション作成文書を入力するものとして、文書データベース等の記憶装置からの読み出しモジュール、通信回線を介して、他のシステムから受信する受信モジュール等が該当する。ここで、入力する画像は１枚の画像であってもよいし、複数ページからなる画像であってもよい。
【００２０】
  領域分離モジュール１２０は、図１に示すように、画像入力モジュール１１０、文字認識モジュール１３０、表示モジュール１５０と接続されており、画像入力モジュール１１０によって入力された画像から領域を分離する。そして、分離した領域を文字認識モジュール１３０、表示モジュール１５０へ渡す。領域の分離は、画像から空白等で区切られた領域を抽出することによって行われる。もちろん他の既存の方法で領域を分離してもよい。
  また、その領域の属性として、文字が含まれている文字領域、絵柄が含まれている絵柄領域を少なくとも識別する。また、この他に、表が含まれている表領域等も識別してもよい。なお、絵柄領域には、文字領域以外であって、写真等の自然画が含まれている写真領域、ＣＧ（Ｃｏｍｐｕｔｅｒ  Ｇｒａｐｈｉｃｓ）により描かれる図形等が含まれる図形領域などが含まれる。領域の属性の識別は、領域ごとに特徴抽出を行い、その特徴空間において、その属性の特徴を典型的に表すモデルとの距離に応じて、属性を定めることによって行う。特徴抽出以外に、他の既存の方法を用いてもよい。」
「【００２６】
  ステップＳ２０２では、領域分離モジュール１２０がステップＳ２００で入力した画像から文字領域、絵柄領域、その他の領域に分離する。例えば、図５の画像５００を、文字領域５０１と絵柄領域５０２とに分離する。なお、領域分離モジュール１２０による領域分離の結果は、図４に示すようなテーブルに格納する。領域テーブル４００は、ＩＤ欄４０１、左上座標欄４０２、右下座標欄４０３、属性欄４０４、文字認識結果欄４０５を有しており、ＩＤ欄４０１は領域をそのページ内で一意に識別できる識別子を、左上座標欄４０２、右下座標欄４０３は領域のそのページ内における位置を、属性欄４０４はその領域が文字領域であるか、絵柄領域であるか、その他の領域であるかの別を、文字認識結果欄４０５はその領域が文字領域であるならば、文字認識モジュール１３０による認識結果を、それぞれ記憶する。なお、ここでは、領域を矩形領域としているが、任意の形状であってもよい。任意の形状である場合、その形状を切り取るためのマスクとしての画像（ファイル）を左上座標欄４０２または右下座標欄４０３が記憶する。また、データ構造は、テーブル構造ではなく、リンク構造等であってもよい。」
第５　対比・判断
１　本願発明１について
（１）対比
　本願発明１と引用発明を対比すると、次のことがいえる。
ア　引用発明の「表示制御装置１００と情報ディスプレイ２００とによって構成され」る「情報ディスプレイシステム５０」は、本願発明１の「表示装置」に相当し、引用発明は「ドライバ１３０は、制御情報を情報ディスプレイ２００に出力し、該当するサブピクセルを駆動し」ているので、引用発明の「４，０９６色を表示する情報ディスプレイにカラー画像を表示させる表示制御方法」は、本願発明１の「限られた色彩の表示装置を駆動するための方法」に相当する。
イ　引用発明の「縦方向及び横方向に複数並んで設けられる、複数のピクセル１０によって構成され」る「情報ディスプレイ２００」は、本願発明１の「ピクセルのアレイ」に相当する。
　引用発明の「制御情報を情報ディスプレイ２００に出力し、該当するサブピクセルを駆動」する「ドライバ１３０」は、本願発明１の「前記アレイにおける前記ピクセルのそれぞれを駆動するためのドライバ」に相当する。
　引用発明の「サブピクセルＲ１、サブピクセルＧ１及びサブピクセルＢ１によって構成され」た「ピクセル１０」が「備え」る「R・G・B（所定カラー）に対応するカラーフィルタ」は、本願発明１の「前記表示装置に整列され、それによって前記ピクセルのそれぞれが異なる色彩の複数のサブピクセルに細分割されるカラーフィルタ」に相当する。
　したがって、引用発明の「情報ディスプレイシステム５０は、表示制御装置１００と情報ディスプレイ２００とによって構成され、表示制御装置１００は、」「ドライバ１３０を備え、」「情報ディスプレイ２００は、」「複数のピクセル１０によって構成され、」「ピクセル１０は、」「カラーフィルタを備え」ることは、本願発明１の「前記表示装置は、ピクセルのアレイと、前記アレイにおける前記ピクセルのそれぞれを駆動するためのドライバと、前記表示装置に整列され、それによって前記ピクセルのそれぞれが異なる色彩の複数のサブピクセルに細分割されるカラーフィルタとを備え」ることに相当する。
ウ　引用発明の「画像データ入力部１１０には、画像データが入力され」ることは、本願発明１の「ターゲット画像を受信する」ことに相当する。
エ　引用発明は「各サブピクセルを一つの画像表示単位として扱」うもので、「特定ピクセル位置(X, Y)における各色の明度（LV）を取得し、取得した色の明度（LV）に基づいて、情報ディスプレイ２００上の対応するピクセル(X,Y)に含まれる対応色のサブピクセルを駆動する」ので、引用発明における「サブピクセル」と、「特定ピクセル」は対応している。
　そして、引用発明の「明度（LV）」は、本願発明１の「輝度値」に相当し、引用発明の「特定ピクセル位置(X, Y)における各色の明度（LV）」を全て集めたものが、本願発明１の「輝度画像」に相当する。
　したがって、引用発明の「特定ピクセルの画像データPicturePix(X,Y)に基づいて、赤のカラーデータRed(C)、緑のカラーデータGreen(C)、及び青のカラーデータBlue(C)を取得し、取得したカラーデータと（式１）とを用いて、各カラー（R・G・B）の明度（LV）を演算し、」「（式２）によってNの値を演算し、」「N=0の場合、取得した白色の明度（LV）を出力し、N=1の場合、取得した赤色の明度（LV）を出力し、N=2の場合、取得した緑色の明度（LV）を出力し、N=3の場合、取得した青色の明度（LV）を出力し、」「特定ピクセル位置(X, Y)における各色の明度（LV）を取得」することは、本願発明１の「前記表示装置内の各サブピクセルのための輝度値を決定することによって前記ターゲット画像用の輝度画像を生成する」ことに相当する。
オ　引用発明は「特定ピクセル位置(X, Y)における各色の明度（LV）を取得し、取得した色の明度（LV）に基づいて」「ピクセル(X,Y)に含まれる対応色のサブピクセルを駆動する」のであるから、「特定ピクセル位置(X, Y)における」「ピクセル(X,Y)に含まれる対応色のサブピクセル」のために出力値を決定することによって、「特定ピクセル位置(X, Y)における各色の明度（LV）」から出力信号を生成しているといえる。
　また、上記エを踏まえると、引用発明の「特定ピクセル位置(X, Y)における」「ピクセル(X,Y)に含まれる対応色のサブピクセル」は、本願発明１の「前記輝度画像内の異なる色彩の前記複数のサブピクセル」に相当するといえる。
　したがって、引用発明の「特定ピクセル位置(X, Y)における各色の明度（LV）を取得し、取得した色の明度（LV）に基づいて」「ピクセル(X,Y)に含まれる対応色のサブピクセルを駆動する」ことは、本願発明１の「前記輝度画像内の異なる色彩の前記複数のサブピクセルのそれぞれのために出力値を決定することによって前記輝度画像から出力信号を生成すること」に相当する。
カ　引用発明の「ドライバ１３０」は、「制御情報を情報ディスプレイ２００に出力し、該当するサブピクセルを駆動し」ているので、引用発明は、「サブピクセルを駆動する」ための「特定ピクセル位置(X, Y)における各色の明度（LV）」からの出力信号を、「ドライバ１３０」に出力しているといえる。
　したがって、引用発明の「ドライバ１３０」を備える「表示制御装置１００」が、「特定ピクセル位置(X, Y)における各色の明度（LV）」「に基づいて」「情報ディスプレイ２００上の対応するピクセル(X,Y)に含まれる対応色のサブピクセルを駆動する」ことは、本願発明１の「前記表示装置を駆動するために前記ドライバに前記出力信号を出力すること」に相当する。
　すると、本願発明１と引用発明とは、次の一致点及び相違点を有する。
（一致点）
「限られた色彩の表示装置を駆動するための方法であって、
前記表示装置は、ピクセルのアレイと、前記アレイにおける前記ピクセルのそれぞれを駆動するためのドライバと、前記表示装置に整列され、それによって前記ピクセルのそれぞれが異なる色彩の複数のサブピクセルに細分割されるカラーフィルタとを備え、
前記方法は、
ターゲット画像を受信することと、
前記表示装置内の各サブピクセルのための輝度値を決定することによって前記ターゲット画像用の輝度画像を生成することと、
前記輝度画像内の異なる色彩の前記複数のサブピクセルのそれぞれのために出力値を決定することによって前記輝度画像から出力信号を生成することと、
前記表示装置を駆動するために前記ドライバに前記出力信号を出力することとを含む、方法。」
（相違点１）
　輝度値が、本願発明１は、「前記サブピクセルが前記ターゲット画像の閾量よりも少なくカバーする場合には黒を示す値に設定され、前記輝度値は、前記サブピクセルが前記ターゲット画像の閾量よりも多くカバーする場合には白又はグレーを示す値に設定され、グレーはより淡い色合いを生成するために使用され」るのに対して、引用発明は、「特定ピクセルの画像データPicturePix(X,Y)に基づいて、赤のカラーデータRed(C)、緑のカラーデータGreen(C)、及び青のカラーデータBlue(C)を取得し、取得したカラーデータと（式１）とを用いて、各カラー（R・G・B）の明度（LV）を演算」する点。
（相違点２）
　輝度画像が、本願発明１は、「前記ターゲット画像を表すべく必要な色彩を考慮することなく生成され」るの対して、引用発明は「特定ピクセルの画像データPicturePix(X,Y)に基づいて、赤のカラーデータRed(C)、緑のカラーデータGreen(C)、及び青のカラーデータBlue(C)を取得し、取得したカラーデータと（式１）とを用いて、各カラー（R・G・B）の明度（LV）を演算し、」「特定ピクセル位置(X, Y)における各色の明度（LV）を取得し」ている点。
（相違点３）
　出力値を決定することが、本願発明１は、「白又はグレーを示す輝度値を有する各サブピクセルについて、各サブピクセルのための輝度値を決定することと、前記ターゲット画像内の色彩を再現するために必要とされる各ピクセルに必要な全体の色彩を決定することとを含」むのに対して、引用発明は、「特定ピクセル位置(X, Y)における各色の明度（LV）を取得し、取得した色の明度（LV）に基づいて、」「ピクセル(X,Y)に含まれる対応色のサブピクセルを駆動」しているが、そのような特定がない点。
（相違点４）
　出力信号を生成することが、本願発明１は、「前記必要な色彩を生成するべく特定のサブピクセルが必要とされるか否かを決定することを含む」のに対して、引用発明は、「特定ピクセル位置(X, Y)における各色の明度（LV）」から出力信号を生成しているといえるが、そのような特定がない点。
（２）判断
　事案に鑑み、先ず上記相違点２について検討する。
　引用発明は、「特定ピクセルの画像データPicturePix(X,Y)に基づいて、赤のカラーデータRed(C)、緑のカラーデータGreen(C)、及び青のカラーデータBlue(C)を取得し、」「各カラー（R・G・B）の明度（LV）を演算」して輝度値を決定し、当該輝度値から、「特定ピクセル位置(X, Y)における各色の明度（LV）を取得し」て輝度画像を生成しているので、「特定ピクセル位置(X, Y)」の「明度（LV）」は、色彩の情報を有することを前提とするものといえる。
　また、引用文献３、４には、各サブピクセルのための輝度値を決定し、当該輝度値から輝度画像を、ターゲット画像を表すべく必要な色彩を考慮することなく生成することは記載されていない。また、そのことは周知技術でもない。
　そうすると、引用発明において、輝度画像を必要な色彩を考慮することなく生成し、上記相違点２に係る本願発明１の構成を得ることは、当業者が容易に想到し得たことであるとはいえない。
　したがって、引用発明、引用文献３、４に記載された技術に基づいて、上記相違点２に係る本願発明１の構成を得ることは、当業者が容易に想到し得たことであるとはいえない。
　よって、本願発明１は、上記相違点１、３、４について検討するまでもなく、引用発明、引用文献３、４に記載された技術に基づいて、当業者が容易に発明をすることができたとはいえない。
２　本願発明２−１２について
　本願発明２−１２も、上記相違点２に係る本願発明１の「前記輝度画像は、前記ターゲット画像を表すべく必要な色彩を考慮することなく生成され」と同一もしくはそれに対応する構成を備えるものであるから、本願発明１と同じ理由により、引用発明、引用文献３、４に記載された技術に基づいて、当業者が容易に発明をすることができたとはいえない。
第６　原査定について
　審判請求時の補正により、本願発明１−１２は「前記輝度画像は、前記ターゲット画像を表すべく必要な色彩を考慮することなく生成され」の構成又は対応する構成を有するものとなっており、拒絶査定において引用された引用文献１、３、４に基づいて、当業者が容易に発明をすることができたとはいえない。
　したがって、原査定の理由を維持することはできない。
第７　むすび
　以上のとおり、原査定の拒絶の理由によっては、本願を拒絶することはできない。
　また、他に本願を拒絶すべき理由を発見しない。
　よって、結論のとおり審決する。